(57)【要約】順次生成される患者医療パラメータのユーザ選択可能なセットを関連する時間表示とともに表示するネットワークコンパチブルなコンフィギュレーション可能ユーザインタフェースシステムにおいて、使用可能な複数のデフォルト医療パラメータセットから医療パラメータデフォルトセットをユーザ選択することを可能にするカスタマイズメニューを生成するディスプレイメニュージェネレータが設けられている。カスタマイズメニューは更に、医療パラメータデフォルトセットのユーザ変更を可能にする。ディスプレイジェネレータは、ユーザコマンドに応じて、医療パラメータの変更されたデフォルトセットをグラフ形式又は表形式で表示するよう動作する。
2004527023.tif 000002
【特許請求の範囲】
【請求項１】
順次生成される患者医療パラメータ及びデータを時間表示とともに表示するネットワークコンパチブルなコンフィギュレーション可能ユーザインタフェースシステムであって、パラメータ値トレンドの識別に使用されるユーザインタフェースシステムにおいて、
第１のグラフ形式及び第２の表形式で表示されるパラメータのユーザ選択を可能にする単一カスタマイズメニューを生成するディスプレイメニュージェネレータが設けられており、
前記単一カスタマイズメニューは、
対応する複数の使用可能な医療パラメータを表す医療パラメータラベルのセットを含むメニューと、
前記使用可能な医療パラメータからグラフ形式及び表形式で表示されるパラメータをユーザ選択できるようにするパラメータ選択アイコンとを有しており、
前記ディスプレイメニュージェネレータは、ユーザコマンドに応じて、前記選択されたパラメータをグラフ形式及び表形式で表示する、ことを特徴とするユーザインタフェースシステム。
【請求項２】
前記パラメータアイコンは、選択するパラメータを前記カスタマイズメニューの第１及び第２のウィンドウエリアに取り込むことにより、グラフ形式及び表形式で表示されるパラメータを前記使用可能な医療パラメータから選択するのに使用され、
前記ディスプレイジェネレータは、前記ユーザコマンドに応じて、前記第１のウィンドウエリア内のパラメータに関連したパラメータデータをグラフ形式で表示し、前記第２のウィンドウエリア内のパラメータに関連したパラメータデータを表形式で表示する、請求項１記載のシステム。
【請求項３】
前記カスタマイズメニューは、選択されたパラメータの複数の異なるセットを対応する複数の表示カテゴリに割当てることを可能にする、請求項１記載のシステム。
【請求項４】
前記カテゴリには、心臓学、検査室結果、血行力学的機能、換気機能、及び神経学を含む医療カテゴリに関連した、少なくとも２つのカテゴリが含まれている、請求項３記載のシステム。
【請求項５】
前記カスタマイズメニューは、特定の表示カテゴリに関連した選択されたパラメータの予め決定された少なくとも１つのリストの表示を可能にする、請求項３記載のシステム。
【請求項６】
前記単一カスタマイズメニューはさらに、選択されたパラメータを再配列して表示するための配置選択アイコンを有している、請求項１記載のシステム。
【請求項７】
前記単一カスタマイズメニューはさらに、ユーザ選択に使用可能な医療パラメータのカテゴリを再配列して表示するためのカテゴリ選択アイコンを有している、請求項１記載のシステム。
【請求項８】
ユーザ選択可能な順次生成される患者医療パラメータ及びデータを時間表示とともに表示するネットワークコンパチブルなコンフィギュレーション可能ユーザインタフェースシステムにおいて、
カスタマイズメニューを生成するディスプレイメニュージェネレータが設けられており、
前記カスタマイズメニューは、使用可能な複数のデフォルト医療パラメータセットからの医療パラメータデフォルトセットのユーザ選択、及び前記医療パラメータデフォルトセットのユーザ変更を可能にし、
前記ディスプレイジェネレータは、ユーザコマンドに応じて、前記ユーザ変更された医療パラメータデフォルトセットを表示する、ことを特徴とするユーザインタフェースシステム。
【請求項９】
前記カスタマイズメニューは、前記デフォルトセットのパラメータに対するグラフ表示形式又は表表示形式のユーザ選択を可能にする、請求項８記載のシステム。
【請求項１０】
前記ディスプレイジェネレータは、前記デフォルトセットのパラメータの第１のサブセットをグラフ形式で表示し、前記デフォルトセットのパラメータの第２のサブセットを表形式で表示する、請求項８記載のシステム。
【請求項１１】
前記カスタマイズメニューは、複数のデフォルトパラメータセットのユーザ定義を可能にする、請求項８記載のシステム。
【請求項１２】
前記使用可能な複数のデフォルト医療パラメータセットは、心臓学、検査室結果、血行力学的機能、換気機能、及び神経学を含む医療カテゴリに関連した少なくとも２つのパラメータを含んでいる、請求項８記載のシステム。
【請求項１３】
前記単一カスタマイズメニューはさらに、選択されたパラメータを再配列して表示するための配置選択アイコンを有している、請求項８記載のシステム。
【請求項１４】
前記単一カスタマイズメニューはさらに、ユーザ選択に使用可能な医療パラメータのカテゴリを再配列して表示するためのカテゴリ選択アイコンを有している、請求項８記載のシステム。
【請求項１５】
順次生成される患者医療パラメータ及びデータを時間表示とともに表示するネットワークコンパチブルなコンフィギュレーション可能ユーザインタフェースシステムであって、パラメータ値トレンドの識別に使用されるユーザインタフェースシステムにおいて、
第１のグラフ形式及び第２の表形式で表示されるパラメータのユーザ選択を可能にする単一カスタマイズメニューを生成するディスプレイメニュージェネレータが設けられており、
前記単一カスタマイズメニューは、
対応する複数の使用可能な医療パラメータを表す医療パラメータラベルのセットを含むメニューと、
ユーザ選択されたパラメータを関連するパラメータデータとともにそれぞれグラフ形式及び表形式で表示するための第１及び第２のウィンドウエリアと、
前記使用可能な医療パラメータからグラフ形式及び表形式で表示されるパラメータをユーザ選択できるようにするパラメータ選択アイコンとを有しており、
前記ディスプレイジェネレータは、ユーザコマンドに応じて、前記第１のウィンドウエリア内のパラメータに関連したパラメータデータをグラフ形式で表示し、前記第２のウィンドウエリア内のパラメータに関連したパラメータデータを表形式で表示する、ことを特徴とするユーザインタフェースシステム。
【請求項１６】
前記単一カスタマイズメニューはさらに、選択されたパラメータの再配列して表示するための配置選択アイコンを有している、請求項１５記載のシステム。
【請求項１７】
前記単一カスタマイズメニューはさらに、ユーザ選択に使用可能な医療パラメータのカテゴリを再配列して表示するためのカテゴリ選択アイコンを有している、請求項１５記載のシステム。
【発明の詳細な説明】
【０００１】
関連出願への相互参照
本出願は、２０００年１１月１７日出願の米国仮出願、Ｕ．Ｓ．ＳｅｒｉａｌＮｏ．６０／２４９，５７４の利益を求めるものである。
【０００２】
発明の分野
本発明は医療情報の処理及び表示、より詳細には、ネットワーク環境における患者医療データの構成、処理、及び表示に関する。
【０００３】
発明の背景
病院やその他のヘルスケア環境において、患者に関するさまざまな医療データを収集及び表示することが必要又は望ましい場合がしばしばある。このような情報には、検体検査の結果、看護施設のデータ、診断及び治療の方法、ベンチレータ情報、所属内科医又はヘルスケア提供者、ならびに所定の患者に関連したカレンダー情報が含まれる。現在、このような情報は、患者のベッドサイドに貼られたカルテを介して又は看護人の詰め所で提供されることが多い。しかしながら、このような身体カルテは見づらく、往々にして、検体検査の結果のような患者に関する最新の医療情報が含まれていないことがある。この問題は、患者が病院に滞在する間に蓄積される大量の患者データのために悪化する。時系列的情報又はタイムライン情報を含む患者医療情報を表示するための従来の紙ベースのカルテは、特に見づらく、整理するのが難しく、またページの逸失や置き違えが生じやすい。さらに、医療データは往々にして複数のソースからさまざまな時点に得られるという事実から、このようなカルテ情報の適時性に関連した問題が生じる。そのうえ、現在のカルテは、看護人が患者に関する複数の医学的検査もしくは他のデータの結果に容易にアクセスしたり、それらの結果を見たり又は判断するには適していない。したがって、生理学的パラメータ及び複数のソースから得たタイムライン情報を含む患者医療情報にアクセスし、これらのタイムライン情報を構成し、操作し、表示するためのより速く、効率的で、ユーザフレンドリーな手段に対する要求が存在している。
【０００４】
発明の概要
ユーザによる選択が可能な順次生成される患者医療パラメータを関連する時間表示とともに表示するためのネットワークコンパチブルなコンフィギュレーション可能ユーザインタフェースシステムは、カスタマイズメニューを生成するためのディスプレイメニュージェネレータを有している。カスタマイズメニューとは、使用可能な複数のデフォルト医療パラメータセットから医療パラメータデフォルトセットをユーザ選択できるようにするものである。カスタマイズメニューはさらに医療パラメータデフォルトセットのユーザによる変更も可能にする。ディスプレイジェネレータは、ユーザコマンドに応じて、医療パラメータデフォルトセットを表示するよう動作する。カスタマイズメニューは、ユーザがデフォルトセット内のパラメータに対してグラフ形式又は表形式を選択できるようにする。ディスプレイジェネレータはさらにデフォルトセット内のパラメータの第１のサブセットを第１のグラフ形式で表示し、デフォルトセット内のパラメータの第２のサブセットを第２の表形式で表示するよう動作する。また、ユーザカスタマイズメニューは、データベースへの格納及び後の時点でのデータベースからの検索のために、複数のデフォルトパラメータセットのユーザ定義を可能にする。医療パラメータデフォルトセットは、次の医療カテゴリ、すなわち心臓学、検査室結果、血行力学的機能、換気パラメータ、及び神経学に関連した少なくとも２つのパラメータを含んでいる。
【０００５】
別の側面では、順次生成される患者医療パラメータを時間表示とともに表示する、パラメータ値のトレンド識別に使用されるネットワークコンパチブルなコンフィギュレーション可能ユーザインタフェースシステムは、単一カスタマイズメニューを生成するディスプレイメニュージェネレータを有しており、この単一カスタマイズメニューによって、パラメータを第１のグラフ形式及び第２の表形式で表示するためのユーザ選択が可能となる。カスタマイズメニュー内には、対応する使用可能な複数の医療パラメータを表す医療パラメータセットを含むメニューと、第１及び第２のウィンドウエリアとが設けられており、第１及び第２のウィンドウエリアには、それぞれ、グラフ形式及び表形式で表示されるパラメータを表すユーザ選択されたパラメータラベルが表示される。メニューはさらに、使用可能な医療パラメータセットからグラフ形式又は表形式で表示されるパラメータをユーザ選択できるようにするパラメータ選択アイコンを有している。ディスプレイジェネレータは、ユーザコマンドに応じて、第１のウィンドウ内のラベルに関連したパラメータをグラフ形式で表示し、その一方で、第２のウィンドウエリア内のラベルに関連したパラメータは表形式で表示する。
【０００６】
図面の簡単な説明
図１は、本発明の原理に基づいた、さまざまな機器との通信ネットワークのブロック図を示しており、
図２Ａは、本発明の原理に基づいた機能を有するサーバのブロック図を示しており、
図２Ｂは、ユーザインタフェースコンピュータとウェブブラウザとに関連した、本発明によるプログラム要素のブロック図を示しており、
図２Ｃは、本発明による機能を処理するシステムのフローチャートを示しており、
図３Ａは、デフォルトのシステム医療パラメータが本発明の１側面に従ってどのように構成されるかを例示的に示しており、
図３Ｂ及び３Ｃは、図３Ａにおいて選択及び使用されている構成されたシステムパラメータに従って、表形式及びグラフ形式で表示される医療情報の例を示しており、
図３Ｄは、所定のユーザに対して、医療パラメータが本発明の１側面に従ってどのように構成されるかを例示的に示している。
【０００７】
詳細な説明
図１は本発明の原理に基づいた通信ネットワークのブロック図である。すべての図面において、同じパーツを指示するためには同じ参照番号が使用される。図１に示されているように、通信ネットワーク１は、相互接続されたローカルエリア及びワイドエリアネットワークの階層をもつＩＰ（インターネットプロトコル）コンパチブルネットワークにより表されている。注意すべきは、この例示された病院ネットワーク又は医療ネットワークはＩＰコンパチブルネットワークであるが、当業者には直ちに理解されるように、例えばＸ．２５、フレームリレー、ＩＢＭ ＳＮＡ等のようなコンピュータプロトコルを使用した光ネットワーク又は無線ネットワークのような他のタイプのネットワークも使用可能である。ただし、Ｘ．２５、フレームリレー、ＩＢＭ ＳＮＡ等、ならびに光ネットワーク又は無線ネットワークは、例であって限定ではない。さらに、例として説明されるネットワークは階層ネットワークであるが、このことは本発明によっては要求されていない。ネットワーク上の機器間の通信接続を提供するネットワークアーキテクチャであればどんなタイプを使用してもよい。
【０００８】
図１に示されているように、例示された階層ネットワーク１の第１レベルは、医療インタフェースバス（ＭＩＢ）２を含んでいる。ＭＩＢは、ローカルに医療機器を接続するための周知の医療産業規格である。図１に示されているように、ＭＩＢ２は一般に、特定の患者に対する看護の管理及び特定の患者のモニタのために、病室内の医療機器を相互接続するのに使用される。さまざまな医療機器がＭＩＢ２を介して接続される。図１に示されている例では、ベンチレータ６ａ、ＩＶ（静脈内）ポンプ９又は他の医療設備１０が含まれている。
【０００９】
ＭＩＢ２は一般に、イーサネットコンパチブルＬＡＮネットワーク３へのインタフェースのために、インタフェースドッキングステーション（ＩＤＳ）装置１２を介して第２レベルのＬＡＮネットワーク３に接続される。上位レベルＬＡＮ３は、例えば、シーメンスメディカルシステム社により発売されているインフィニティＬＡＮであってもよい。この上位レベルＬＡＮ３は、必ずではないが一般に、組織の大きさに従って、集中治療部門や外科部門のような病院内の特定の部門により使用される。
【００１０】
図１には示されていないが、１つより多くのＭＩＢを第２レベルＬＡＮ３に接続してもよく、それにより、１人より多くの患者をＬＡＮ３を介してモニタ又は看護してもよい。さらに、医療機器は直接、上位レベルＬＡＮ３に接続してもよい。例えば、図１に示されているように、ベンチレータ６ｂと麻酔システム１３は、ＭＩＢを経ることなく、直接ＬＡＮ３に接続されている。
【００１１】
さらに、ＬＡＮ３は、同様にイーサネットコンパチブルである病院ＬＡＮバックボーン４と相互接続させてもよい。このバックボーンネットワーク４は、病院又は医療機関内のさまざまな部門の間の通信接続を提供する。例えば、病院管理システム１５と検査室システム１７との間の接続。さらに、病院ＬＡＮ４はリモートアクセスゲートウェイ１９を有しており、リモートアクセスゲートウェイ１９は、例えば、遠方の医師のオフィス２３又は遠方の診療所２４からネットワーク１上のさまざまなシステム及び機器に、例えばインターネット２９を介して、保護されたリモートアクセスを提供する。択一的には、遠隔地も例えばダイヤルアップポート、ＡＤＳＬ、又は他のタイプの専用接続を介して直接リモートアクセスゲートウェイ１９にアクセスできるようにしてもよい。リモートアクセスゲートウェイ１９は、周知のスタンドアローン型の代わりに、以下で説明されるサーバ２０の一部であってもよい。
【００１２】
発明の原理によれば、中央サーバ２０は、ＬＡＮ３又は病院ＬＡＮ４に接続された周辺医療機器又は施設からのデータ、例えば、ＨＬ７インタフェースを通して接続された検査室システム１７を介して提供される検査室結果のような医療パラメータを含むデータを収集及び処理するため、ＬＡＮ３に常駐している。心臓学、血行力学、換気、及び神経学のカテゴリのデータを含む付加的な医療パラメータデータは、図１に示されているような任意の数の医療機器から取得してもよいし、例えばＡＳＴＭメッセージングのようなさまざまなインタフェースプロトコルを使用してサーバ２０において得てもよい。心臓学、血行力学、換気及び神経学のカテゴリのパラメータ及びデータを含む所定の患者に関する取得した医療パラメータは、表示及び制御のため、ネットワーク１上の医療機器から取得される。当業者はサーバ２０がネットワーク１の階層のどのレベルにあってもよいことを直ちに認識することができる。なぜならば、ＬＡＮ（例えば３又は４）の異なるすべてのレベルは、図１の遠隔地と同様に、相互接続されているからである。サーバ２０の一例は、シーメンスメディカルシステム社により発売されているＣｈａｒｔＡｓｓｉｓｔサーバである。このサーバは、例えば、マイクロソフトＮＴオペレーティングシステムを実行することのできるコンピュータシステムをホストとすることができる。
【００１３】
本発明の１つの側面では、ユーザは、図１に示されているように、マイクロソフトウィンドウズコンパチブルＰＣ２６又はウィンドウズＮＴコンパチブルＰＣ３９、又はウェブブラウザのようなメニュー生成プログラムを実行することのできる他のいずれかのコンピュータ（例えば、マイクロソフトインターネットエクスプローラ又はネットスケープナビゲータ等）を使用して、心臓学、検査室結果、血行力学、換気及び神経学の情報を含む所定の患者に関連した医療パラメータデータを見たり、構成したり、更新することができる。つまり、ユーザは、サーバ２０への通信接続が可能な間は、いずれかのコンピュータ上のウェブブラウザを使用して、獲得されデータベース２５に格納された情報のリクエスト、閲覧、及び更新をすることができる。これは有利である。というのも、例えば、医師は専用端末にアクセスしなくても、例えば遠方の医師のオフィス２３から医療パラメータデータへのアクセスを得ることができるからである。もちろん、ユーザは、周知のように、単純にキーボード及び／又はマウス、又は他の任意のユーザインタフェース装置を使用して、ユーザコンピュータ上でユーザ選択又はリクエストを入力することができる。
【００１４】
サーバ２０は、グラフィカルユーザインタフェース（ＧＵＩ）コンポーネントを有するウェブブラウザ上にデータを表示するために、例えば、ＨＴＭＬ（ＨｙｐｅｒＴｅｘｔ  Ｍａｒｋｕｐ  Ｌａｎｇｕａｇｅ）プログラミング言語とコンパチブルであるように医療データを照合し、書式設定することができる。また、このサーバは、例えば、リクエストを行うためにユーザのウェブブラウザから発されたＨＴＴＰ（ＨｙｐｅｒＴｅｘｔ  Ｔｒａｎｓｆｅｒ  Ｐｒｏｔｏｃｏｌ）コマンドにも応答する。
【００１５】
図２Ａは、患者医療情報を含むデータベース２５を管理、照合、検索及び更新するサーバ２０の実施例のブロック図を示している。本明細書に記載されているさまざまな機能を実施するための命令を実行するプログラム要素又はプロセッサは通信処理モジュール２５０２を有しており、この通信処理モジュール２５０２は、所定の患者に関するモニタされたパラメータを含む患者データをネットワークから取得し、データベース２５に格納する情報を照合する。ナビゲーション照合プロセッサ２５０４は、ウェブブラウザ及びディスプレイジェネレータソフトウェアと共同して、パラメータを供給し、パラメータに優先順位を定め、ユーザインタフェースを介してユーザにより選択されたさまざまなアプリケーション間を移動する間、ユーザに対してパラメータを表示する。
【００１６】
ユーザインタフェースは、ユーザによる選択に応じて医療データをタイムラインに沿って表示する機能と、表示すべき医療データパラメータを事前構成し、書式設定する機能とを有している。図２Ｂには、ユーザインタフェースコンピュータプロセッサ２６と、サーバソフトウェアと連係したウェブブラウザとに関連した、さまざまな機能を実施するための命令を実行するプログラム要素又はプロセッサが示されており、これらは、カスタマイズメニューを生成するメニュージェネレータプロセッサモジュール２６ａとディスプレイジェネレータモジュール２６ｂとを有している。ユーザは、カスタマイズメニューにより、表示される複数のカテゴリにわたる生理学的トレンドデータを事前構成することができ、ディスプレイジェネレータモジュール２６ｂが、事前構成された選択に従って選択された生理学的トレンドデータをユーザコマンドに応じて表示する。
【００１７】
ネームサーバプロセッサ２５０６（図２Ａ）は、システムネットワークに接続された各ノード及びシステム内の各患者に一意識別名（Ｉｄｓ）を割当て、システム全体にわたって患者情報を探索し、更新できるようにする。入力／出力データ及び制御信号は、さまざまなプロセッサ間の通信、ならびに、データベース２５及び検索エンジン２３とのインタフェース、さらに通信回線２５１０を介したネットワークとのインタフェースに使用される。
【００１８】
図２Ｃには例示的なフローチャートが示されており、このフローチャートでは、心臓学、検査室結果、血行力学、換気、及び神経学のカテゴリのデータを含む医療パラメータが連続的に又は周期的に取得され、サーバ２０内の関係データベース２５に格納するために所定の患者に関連付けられる。データベース２５は、マイクロソフトＳＱＬサーバのような、関係データの格納に使用されるタイプのものである。ネットワーク上の機器との通信が確立されると（ステップ２０２）、データが自動的に又は周期的に取得され、データベース２５に格納される（ステップ２０４，２０６）。取得されたデータは、タイムスタンプ情報又は取得されたデータに関連したデータ及び時間を示す他の情報を含んでいる。所定の患者の医療パラメータデータに対するユーザリクエスト（ステップ２０８）に応えて、サーバ２０上の検索エンジンは、予め決められた検索基準に合うすべてのデータパラメータを検索し、取り出す。このユーザリクエストは、データの照合ならびに所定のフォーマット及び選択された日の範囲内でのデータ表示に関係するパラメータを含んでいる。表形式がリクエストされた場合（ステップ２１０）、ユーザインタフェースソフトウェアロジックは、取り出されたデータを照合し、優先順位を定めて、列の形で表示する（ステップ２１２）。さもなければ、ユーザインタフェースソフトウェアは、取り出されたデータを照合し、優先順位を定めて、グラフの形で表示する（ステップ２１３）。さらに、表示すべきデータパラメータに関連したタイムライン表示が生成及び書式設定され（ステップ２１４）、データとともに表示される。ユーザインタフェース内のソフトウェアロジックは、タイムラインに色属性を割当て、テキストエリアと、日付の境にまたがるパラメータを区別するためのユーザ選択インジケータパネルとを表示する（ステップ２１６）。そして、ディスプレイジェネレータは、患者医療データ及びパラメータを含んだ複合ウィンドウを、タイムライン情報、及び、データを選択された日に関連付ける色属性とともに表示するよう動作する。
【００１９】
図３Ａは、トレンド表示情報をシステムレベルで構成するための、本発明の１側面において実施されるユーザインタフェースシステムの例示的な図解である。図３Ａに示されているように、カスタマイズメニュー３００は、システムユーザによるメニュージェネレータプロセスの実施に応じて表示される。なお、システムユーザは、システム管理責任者のように適切なネットワーク権限及びログオン特権を有している。単一カスタマイズメニュー３００により、ユーザは、いずれかの又はすべてのシステムトレンドページのトレンド表示構成を編集することでデフォルトのトレンド構成を定義することができる。本発明の１つの側面によれば、カスタマイズメニュー３００は、例えば心臓学２３５ａ、検査室結果２３５ｂ、血行力学２３５ｃ、換気２３５ｄ、及び神経学２３５ｅのパラメータデータのカテゴリ、さらにユーザ定義可能なカテゴリ２３５ｆを含む表示パラメータカテゴリ２３５の選択可能メニュー２３０を含んでいる。各カテゴリ２３５は、デフォルトパラメータセットとして機能する、データベース２５に格納された選択された医療パラメータの所定のリストと結び付けられていてもよい。
【００２０】
例えば、使用可能なカテゴリのリストから心臓学カテゴリ２３５ａをユーザ選択すると、システムは、データベース２５からこのカテゴリに関連した使用可能なパラメータ２７０のすべてのリストを取り出し、スクロールメニューウィンドウ２７２に表示する。カテゴリラベルフィールド２４０は編集／定義すべき選択されたカテゴリに対して名前を割当てる。図示されているように、カテゴリラベル２３５ａをユーザ選択すると、カテゴリラベル「心臓学」がフィールド２４０に現れる。グラフ形式及び表形式でトレンドページに表示されるカテゴリの順序は、ユーザ選択可能フィールド２３７により示されている。なお、フィールド２３７は、システム定義された各カテゴリを１−５とラベル付けして示している。所定のカテゴリをユーザ選択し、このフィールド値を編集すると、カテゴリはユーザ入力値に従って再配列される。
【００２１】
グラフウィンドウエリア２５０は、グラフ表示されるパラメータ２５１，２５３の選択されたセットと含んでおり、第１のウィンドウ２５２（トレンドパネル１）、第２のウィンドウ２５４（トレンドパネル２）及び第３のウィンドウ２５６（トレンドパネル３）を有している。各ウィンドウは４つのパラメータまで収容することができる。左右の矢印キー２８２，２８４を有するパラメータ選択アイコン又はコントロールにより、表示すべきパラメータを可能なパラメータ２７０のスーパーセットからユーザ選択することができる。例えば、トレンドパネル２へのパラメータの追加は、メニューリスト２７２内のパラメータ名のいずれか１つを強調表示し、つぎに左矢印キー２８２ａをクリックすることにより為される。同様に、トレンドパネル２からのパラメータの除去は、リストウィンドウ２５４からパラメータ名のいずれか１つを強調表示し、つぎに右矢印キー２８４ａをクリックすることにより為される。図示されているように、同一の機能をもつ左右の矢印キーが対応する各トレンドパネルに対して設けられている。
【００２２】
表ウィンドウ２６０は、表形式で表示される使用可能な医療パラメータのリストから選択されたパラメータ２６３を特定する。右矢印キー選択アイコン２８６は、選択されたパラメータをメニュー２７２から表ウィンドウ２６０に追加するよう作用し、一方で、左矢印キー２８８は、選択されたパラメータを表ウィンドウ２６０から除去するように作用する。パラメータの表示順序の変更及び決定は上下矢印キー２８７，２８９により為される。上下矢印キー２８７，２８９は、リスト２６０内で強調表示されるパラメータをユーザに従ってパラメータのリスト内で上下に動かすように作用する。カスタマイズスクリーン機能により、ユーザは表形式トレンドディスプレイとグラフ形式トレンドディスプレイを独立して構成できることに注意されたい。つまり、選択されたパラメータ２５１，２５３の異なるセットが選択され、グラフ形式に構成される一方で、他のパラメータ２６３のセットは選択され、表形式に構成されることが可能である。これにより有利には、ユーザは異なるディスプレイセットを使用して異なるパラメータを見ることができ、それによりトレンドデータのよりロバストなカスタマイズされた表示が可能となる。
【００２３】
「適用」制御機能２９０を選択すると、システムは、指定されたカテゴリに関してユーザ選択されたパラメータをそのカテゴリのデフォルトシステムパラメータとして格納する。システムはまた、編集又は決定されたパラメータの表示順序、所定のページへの各カテゴリ名の割当て、及びカテゴリ名の表示の順序を格納するよう動作する。制御機能２９２を選択すると、ユーザ選択はキャンセルされ、編集されたデータを保存せずにスクリーンを出る。
【００２４】
図３Ｂ及び３Ｃは、図３Ａの方法により選択され、システムに適用される構成されたパラメータをそれぞれ表形式及びグラフ形式で表示するウェブブラウザスクリーンの例示的な図解である。
【００２５】
図３Ｂを参照すると、本発明によるディスプレイウィンドウ３０３が示されている。このディスプレイウィンドウ３０３は、ユーザコンピュータ２６（図１）のウェブブラウザ上に複数日にわたるタイムラインに沿って取り出され表示された、特定のモニタされたパラメータ２６３に関連した医療パラメータデータを含んでおり、システムのユーザはこのディスプレイウィンドウによりトレンド情報を見ることができる。図示されているように、ディスプレイウィンドウ３０３（図３Ｂ）は、ナビゲーションパネル部３１０と結果表示ウィンドウ部３２０とを有している。ディスプレイウィンドウ３２０は、特定の医療パラメータ２６３、測定単位、及びデータ３０８を含んでおり、データ３０８は、所定の患者に関する特定の医療パラメータへのアクセスを求めるユーザリクエストに応えて、構成されたフォーマット（図３Ａ）に従ってタイムライン３２４（図３Ｂ）に沿って表示されている。図３Ｂに示されている医療パラメータデータは、ユーザがカルテアイコン３０５を生命徴候パネル３０１から選択したときに、ディスプレイウィンドウ３２０に表（すなわちカルテ）形式で表示される。全体として２３５とラベル付けされたアイコンは、心臓学、検査室結果、血行力学、換気、及び神経学カテゴリのうちの相応するカテゴリに関連した特定の医療パラメータに対応しており、これらのアイコンのうちの１つを選択すると、ユーザインタフェースは、選択されたカテゴリ内のこれら特定の医療パラメータを得るために、データベースの検索をリクエストする。心臓学カテゴリ２３５ａが選択されると、図示されているように、ディスプレイジェネレータが、心臓学パラメータ及びデータに対する構成されたデフォルト設定に従って、結果を表形式で表示する。
【００２６】
ディスプレイナビゲータパネル３１０は、ユーザ選択可能なスクロール日数表示パネル３１５から構成されている。日数表示パネル３１５は、関連するデータベース情報による所定の患者の全入院日数を含んでいる。実施例では、方向制御セレクタ３１７を備えた日数表示パネル３１５を介して、５日（１，２，３，４，５）が表示されている。方向制御セレクタ３１７は、ユーザが全日数範囲をスクロールすることができるように、左右の矢印ボタンの形でディスプレイインジケータパネルの両側に設けられている。日数表示パネルの範囲内の特定の日をユーザ選択すると、検索エンジンが、選択日、その直前の日、及びその直後の日の所定の患者の医療パラメータデータのうちで、その他の検索基準（例えば、医療パラメータのカテゴリ）をすべて満たすすべて医療パラメータデータをデータベース２５（図１）から取り出す。
【００２７】
図３Ｂに示されているように、医療パラメータ２６３及び付随データ３０８は、日数表示パネル３１５内の特定の日（例えば日５）のユーザ選択に応えて、日付の境をまたいで表形式でユーザに表示される。ユーザインタフェースはタイムラインディスプレイ３２４を生成するよう動作する。タイムラインディスプレイ３２４は、現在又は選択された日に関連した第１の部分３２４ａと前日又は翌日に関連した第２の部分３２４ｂとを有している。特定の実施形態においては、タイムライン３２４は同じ持続時間の所定の区間Ｔに分割される。これらの区間は、スケールパネル３１９のユーザ選択に基づいて１５分、１時間、２時間、４時間又は８時間のユーザ選択可能な増分でスケーリング可能であり、ウィンドウ３２０内に表示するためにフォーマット設定される。タイムラインディスプレイは、時／分（ｈｈ：ｍｍ）形式での表示を含んでおり、これによりユーザは表示された相応する特定のパラメータデータに関連した特定の時間を特定することができ、またユーザは患者医療データに関連したトレンドを見たり決定したりすることもできる。取り出された医療データは優先順位付けされ、照合され、検索基準に従った所望の順序で表示される。
【００２８】
図３Ｂに示されている実施例では、心拍数（ＨＲ），ＰＶＣ／ｍｉｎ，％ペース、ＳＴＩ、ＳＴＩＩ、ＳＴＩＩＩ及びＳＴａＶＬを含む医療パラメータ２６３が、構成された心臓学表形式デフォルトシステムトレンド設定に従って、第１の列に沿って降順で表示されており、その一方で、パラメータの各々に関連した対応するデータは水平に又は行に沿って時系列で表示されている。データは、時間的期間を所定の列のパラメータデータに結び付けるために、タイムラインディスプレイを用いて整列されている。ウェブブラウザを介して表示された右端のデータは、最新の医療パラメータデータを表している。システムはまた、カーソルの位置に関連して時間及びデータを表示するために、ユーザによる所定の列３３５の選択に応答じた個別のカーソル時間表示ウィンドウ３１１を提供する。ユーザは、ディスプレイの底部に位置する水平スクロールバー３３０により、例えば区間のスケーリングのせいで閲覧可能なディスプレイ内に納まらないさらなるタイムラインデータを見ることができる。
【００２９】
本発明のユーザインタフェース装置の一部として、ユーザに対してウィンドウ３０３を表示させる働きのあるソフトウェアモジュール又はウィザードは、日数表示パネル３１５内の現在又は選択された日に表示属性を割当てるためのロジックを含んでいる。本発明の特定の実施例においては、表示属性には色が含まれるが、表示属性は、例えば、テキストもしくはシンボル、幾何学的形状もしくはスタイル、又はフォントタイプであってもよい。図３の実施例において示されているように、選択された日（すなわち、日５）は青の背景を有しており、一方で、医療パラメータデータの存在するすぐ隣りの日（例えば、日４）は、黒の背景で表示されている。データが表示されていない日（例えば、日１，２，３）は、白の背景で表示されている。日数表示パネル３１５に隣接するテキストエリア３１８は、現在選択されている日に関連したカレンダー日付情報を表示する。実施例では、カレンダー日付情報は、週の特定の日（例えば日〜土）、月及び日付を含んでいる。有利には、テキストエリア３１８に関連した背景は現在選択されている日と同じ表示属性（例えば、同じ青色）を有している。
【００３０】
現在選択されている日に関連したタイムラインディスプレイ部３２４ａは、表示属性の使用により、前日及び／又は後日に関連した部分３２４ｂから区別可能である。実施例では、タイムラインディスプレイの背景は対応する日の日数表示パネルの背景と一致している。例えば、図３Ｂに示されているように、ディスプレイ部３２４ａは現在選択されている日の青の背景属性に応じて青の背景属性を有しており、一方、ディスプレイ部３２４ｂは後日（すなわち、日５）の黒の背景属性に応じて黒の背景を有している。患者の滞在期間中に存在しうる患者データの量は膨大なので、すべてのデータセットをブラウザにダウンロードすることは実行可能ではない。同様に、観察されるデータの連続性のゆえに、ユーザが一日に一度データを見ることができるだけでは不十分である。本発明のユーザインタフェース装置は、一日（すなわち、２４時間の期間）を越えて拡がるスクロールウィンドウ表示を提供することによりこれらの問題を克服し、その一方で、ユーザが所望の日を選択し、タイムライン上に表示されている日を区別できるようにする。
【００３１】
図３Ｃは、本発明のウェブ使用可能なＧＵＩシステム内の択一的な要素ディスプレイを示している。この要素ディスプレイは、図３Ａに示されているグラフデフォルトシステム構成により定義された特定のパラメータに関連した医療データをグラフ形式で表示するものである。上述したように、医療パラメータ及びデータは取り出され、ユーザコンピュータ２６上のウェブブラウザに複数日にわたるタイムラインに沿って表示される。簡単のため、図３Ｂにおいて示され論じられた同じ要素に関する同じ機能を論じることはしない。
【００３２】
図３Ｃには、ナビゲータパネル３１０と、対応するパラメータ２５１、測定単位及び医療パラメータデータ３０８０を含む結果表示ウィンドウ部３２００とから構成されたグラフトレンド表示ウィンドウ３０３０が示されている。医療パラメータデータ３０８０は、所定の患者に関する特定の医療パラメータへのアクセスを求めるユーザリクエストに応えて、タイムライン３２４に沿ってグラフ形式で表示されている。図３Ｃに示されている実施例では、医療パラメータデータは、心臓学カテゴリに関する医療データを表示するために、ユーザが生命徴候パネル３０１からグラフィカルアイコン３０６を選択すると、グラフ形式で表示される。日数表示パネル３１５のユーザ選択は、図３Ｂに関連して上で述べたように、選択された日、その直前の日及びその直後の日の所定の患者のすべての医療パラメータデータのうちで、他のすべての検索基準（例えば、医療パラメータデータのカテゴリ）も満たすすべての医療パラメータデータを取り出し、表示するよう作用する。
【００３３】
図３Ｃに示されているように、特定の医療パラメータ及びデータを表示するユーザインタフェースディスプレイは、幾つかのパラメータ及びデータを照合してグループにまとめ、事前構成されたグラフデフォルト基準に従った所望の順序で表示するよう動作する。例えば、図３Ｃに示されている実施例では、２つのディスプレイ又はトレンドパネル３２５，３２７（図３Ｃ）が設けられており、これらは各々、水平タイムライン３２４に沿って、ウィンドウ２５２，２５４（図３Ａ）内で選択されたパラメータに対応する特定の患者医療データのグラフ表現を有している。図示されているように、各トレンドパネル３２５，３２７は、グラフに沿って表示される最大で４つのトレンド又は医療パラメータのセットを含んでいる。各トレンドパネルの上方に位置するディスプレイウィンドウ３２１，３２３は相応する医療パラメータを特定している。なお、これらの医療パラメータのデータはタイムラインに沿ってグラフ形式で表示される。各ディスプレイウィンドウは特定の属性（色属性のような）を有しており、この属性は対応するグラフデータに関する同じ属性に対応している。例えば、モニタされた心拍数（ＨＲ）パラメータを表すディスプレイウィンドウは、ＨＲパラメータデータの赤色グラフ表示と１対１に対応するように赤の背景を有している。他のディスプレイウィンドウは、その特定のグラフデータの同じ色属性に関して相応して異なる色属性を有しており、それによりユーザはパラメータトレンドを区別することができる。フォント、スタイル、ジオメトリ等を含む他の属性もまた考慮される。
【００３４】
パラメータレンジディスプレイセット３３１，３３２は、それぞれ対応する各医療ディスプレイパラメータに関する最小レンジ及び最大レンジを与える。ある特定の実施例においては、レンジディスプレイセットには、それぞれグラフパラメータデータウィンドウの上方及び下方の左側に最大レンジ限界及び最小レンジ限界３３２，３３１が設けられている。図３Ｃに示されているように、各パラメータの最大及び最小レンジスケール限界は異なる色をしており、固有の順序で現れる。この固有の順序はパラメータラベルが提示される順序である。
【００３５】
図３Ｄは、患者レベルでトレンド情報をカスタマイズする本発明の択一的な１つの側面を示している。患者レベルでのトレンド情報のカスタマイズは、所定の患者３１６０に対して、カスタマイズメニュー３０００を表示するためのセットアップタブ３０７を選択することにより為される。簡単のため、図３Ａに関連して図示され論じられた同じ要素に関する同じ機能については、詳細に論じることはしない。図示されているように、システム管理責任者以外のユーザは、事前構成されたトレンドページ（例えば、心臓学）をシステムデフォルトメニュー２９５を介して選択すること、表示される特定のパラメータ２５１０，２５３０を上記の患者に対して現在アクティブなパラメータのリスト２７０から選択すること、このようなアクティブなパラメータが現れる順序を決定すること、又は選択されたトレンドページの名前をフィールド２４０内で編集することにより、トレンド構成をカスタマイズすることができる。「適用」制御機能２９０を選択すると、システムは、この患者に関する事前構成されたファイルを格納し、後にこの患者に対して特定のトレンドの適用が選択されたときに（例えば、患者３１６０に対する生命徴候カルテ）、ディスプレイジェネレータが、選択されたパラメータ、又はシステムデフォルト構成ではなくカスタマイズされた事前構成されたファイルに関連したデフォルトセットのサブセットを表示するようにする。
【００３６】
本明細書において示され、説明された実施例及び変形例は図解のためだけのものであり、当業者には本発明の範囲から出ることなくさまざまな変更が可能であることを理解されたい。
【図面の簡単な説明】
【図１】
本発明の原理に基づいた、さまざまな機器との通信ネットワークのブロック図を示す。
【図２Ａ】
本発明の原理に基づいた機能を有するサーバのブロック図を示す。
【図２Ｂ】
ユーザインタフェースコンピュータとウェブブラウザとに関連した、本発明によるプログラム要素のブロック図を示す。
【図２Ｃ】
本発明による機能を処理するシステムのフローチャートを示す。
【図３Ａ】
デフォルトのシステム医療パラメータが本発明の１側面に従ってどのように構成されるかを例示的に示す。
【図３Ｂ】
図３Ａにおいて選択及び使用されている構成されたシステムパラメータに従って、表形式及びグラフ形式で表示される医療情報の例を示す。
【図３Ｃ】
図３Ａにおいて選択及び使用されている構成されたシステムパラメータに従って、表形式及びグラフ形式で表示される医療情報の例を示す。
【図３Ｄ】
所定のユーザに対して、医療パラメータが本発明の１側面に従ってどのように構成されるかを例示的に示す。
【図１】
2004527023.tif 000003
【図２Ａ】
2004527023.tif 000004
【図２Ｂ】
2004527023.tif 000005
【図２Ｃ】
2004527023.tif 000006
【図３Ａ】
2004527023.tif 000007
【図３Ｂ】
2004527023.tif 000008
【図３Ｃ】
2004527023.tif 000009
【図３Ｄ】
2004527023.tif 000010
【国際公開パンフレット】
2004527023.tif 000011
2004527023.tif 000012
2004527023.tif 000013
2004527023.tif 000014
2004527023.tif 000015
2004527023.tif 000016
2004527023.tif 000017
2004527023.tif 000018
2004527023.tif 000019
2004527023.tif 000020
2004527023.tif 000021
2004527023.tif 000022
2004527023.tif 000023
2004527023.tif 000024
2004527023.tif 000025
2004527023.tif 000026
2004527023.tif 000027
2004527023.tif 000028
2004527023.tif 000029
2004527023.tif 000030
2004527023.tif 000031
2004527023.tif 000032
2004527023.tif 000033
2004527023.tif 000034
2004527023.tif 000035
2004527023.tif 000036
2004527023.tif 000037
2004527023.tif 000038
2004527023.tif 000039
2004527023.tif 000040
2004527023.tif 000041
2004527023.tif 000042
2004527023.tif 000043
2004527023.tif 000044
2004527023.tif 000045
2004527023.tif 000046
【国際公開パンフレット（コレクトバージョン）】
2004527023.tif 000047
2004527023.tif 000048
2004527023.tif 000049
2004527023.tif 000050
2004527023.tif 000051
2004527023.tif 000052
2004527023.tif 000053
2004527023.tif 000054
2004527023.tif 000055
2004527023.tif 000056
2004527023.tif 000057
2004527023.tif 000058
2004527023.tif 000059
2004527023.tif 000060
2004527023.tif 000061
2004527023.tif 000062
2004527023.tif 000063
2004527023.tif 000064
2004527023.tif 000065
2004527023.tif 000066
2004527023.tif 000067
2004527023.tif 000068
2004527023.tif 000069
2004527023.tif 000070
2004527023.tif 000071
2004527023.tif 000072
2004527023.tif 000073
2004527023.tif 000074
2004527023.tif 000075
2004527023.tif 000076
2004527023.tif 000077
2004527023.tif 000078
2004527023.tif 000079
2004527023.tif 000080
2004527023.tif 000081
2004527023.tif 000082
【国際公開パンフレット（コレクトバージョン）】
2004527023.tif 000083
2004527023.tif 000084
【国際調査報告】
2004527023.tif 000085
2004527023.tif 000086
2004527023.tif 000087